【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
下記の工程を含むビニリデン末端ポリオレフィンの製造方法：
（ａ）ポリオレフィンをルイス酸の存在下でイオン化して、イオン化ポリオレフィンにする工程、
（ｂ）工程（ａ）からのイオン化ポリオレフィンを、一種以上の二炭化水素モノスルフィドと反応させる工程、そして
（ｃ）工程（ｂ）の生成物を一種以上のプロトン受容体化合物と反応させて、ビニリデン末端ポリオレフィンを形成する工程。
【請求項２】
一種以上の二炭化水素モノスルフィドが下記式を有する請求項１に記載の方法。
【化１】
2011515563.tif 000001
（式中、Ｒ1およびＲ2は各々独立に、炭化水素基である）
【請求項３】
Ｒ1およびＲ2が各々独立に、アルキル、アルケニル、アルキニル、アリール、アルカリール、アラルキルまたはシクロアルキルである請求項２に記載の方法。
【請求項４】
一種以上の二炭化水素モノスルフィドが、ジエチルスルフィド、ジプロピルスルフィド、ジイソプロピルスルフィド、ジアリルスルフィドまたはジイソアミルスルフィドである請求項１に記載の方法。
【請求項５】
一種以上の二炭化水素モノスルフィドがジイソプロピルスルフィドである請求項１に記載の方法。
【請求項６】
一種類の二炭化水素モノスルフィドを使用する請求項１に記載の方法。
【請求項７】
プロトン受容体がアルコールまたはアミンである請求項１に記載の方法。
【請求項８】
プロトン受容体がアルコールである請求項１に記載の方法。
【請求項９】
プロトン受容体が、メタノール、エタノールまたはイソプロパノールである請求項１に記載の方法。
【請求項１０】
プロトン受容体がアミンである請求項１に記載の方法。
【請求項１１】
プロトン受容体が、ジエチルアミン、トリエチルアミン、ｎ−ブチルアミンまたはｔｅｒｔ−アミルアミンである請求項１に記載の方法。
【請求項１２】
イオン化ポリオレフィンがｔｅｒｔ−ハライド末端ポリオレフィンにルイス酸を加えることにより生成される請求項１に記載の方法。
【請求項１３】
ルイス酸が、四ハロゲン化チタン、三ハロゲン化ホウ素、三塩化アルミニウム、四塩化スズ、塩化亜鉛またはエチルアルミニウムジクロリド、またはそれらの混合物である請求項１２に記載の方法。
【請求項１４】
ルイス酸が、四塩化チタン、四臭化チタンまたは三塩化ホウ素である請求項１２に記載の方法。
【請求項１５】
ルイス酸が四塩化チタンである請求項１２に記載の方法。
【請求項１６】
ルイス酸の混合物を使用する請求項１２に記載の方法。
【請求項１７】
ルイス酸が、ハロゲン化アルミニウム (III）とトリアルキルアルミニウム化合物の混
合物である請求項１６に記載の方法。
【請求項１８】
ルイス酸が、臭化アルミニウムとトリメチルアルミニウムの混合物である請求項１６に記載の方法。
【請求項１９】
ルイス酸がアルキルアルミニウムハライドである請求項１２に記載の方法。
【請求項２０】
ルイス酸がメチルアルミニウムブロミドである請求項１２に記載の方法。
【請求項２１】
イオン化ポリオレフィンが準リビングカルボカチオンポリオレフィンであり、そして当該方法を準リビング重合条件下で実施する請求項１に記載の方法。
【請求項２２】
電子供与体、共通イオン塩または共通イオン塩前駆体の存在下で、開始剤にルイス酸および単量体を加えることにより、準リビングカルボカチオンポリオレフィンを製造する請求項２１に記載の方法。
【請求項２３】
ルイス酸が、四ハロゲン化チタン、三ハロゲン化ホウ素、三塩化アルミニウム、四塩化スズ、塩化亜鉛またはエチルアルミニウムジクロリド、またはそれらの混合物である請求項２２に記載の方法。
【請求項２４】
ルイス酸が四ハロゲン化チタンである請求項２２に記載の方法。
【請求項２５】
ルイス酸が四塩化チタンである請求項２２に記載の方法。
【請求項２６】
ルイス酸の混合物を使用する請求項２２に記載の方法。
【請求項２７】
ルイス酸が、ハロゲン化アルミニウム (III）とトリアルキルアルミニウム化合物の混
合物である請求項２６に記載の方法。
【請求項２８】
ルイス酸が、臭化アルミニウムとトリメチルアルミニウムの混合物である請求項２６に記載の方法。
【請求項２９】
ルイス酸がアルキルアルミニウムハライドである請求項２２に記載の方法。
【請求項３０】
ルイス酸がメチルアルミニウムブロミドである請求項２２に記載の方法。
【請求項３１】
開始剤が単官能性である請求項２２に記載の方法。
【請求項３２】
開始剤が、２−クロロ−２−フェニルプロパン、２−アセチル−２−フェニルプロパン、２−プロピオニル−２−フェニルプロパン、２−メトキシ−２−フェニルプロパン、２−エトキシ−２−フェニルプロパン、２−クロロ−２，４，４−トリメチルペンタン、２−アセチル−２，４，４−トリメチルペンタン、２−プロピオニル−２，４，４−トリメチルペンタン、２−メトキシ−２，４，４−トリメチルペンタン、または２−エトキシ−２，４，４−トリメチルペンタンである請求項２２に記載の方法。
【請求項３３】
開始剤が２−クロロ−２，４，４−トリメチルペンタンである請求項２２に記載の方法。
【請求項３４】
開始剤が二官能性である請求項２２に記載の方法。
【請求項３５】
開始剤が、１，３−ジ（２−クロロ−２−プロピル）ベンゼン、１，３−ジ（２−メトキシ−２−プロピル）ベンゼン、１，４−ジ（２−クロロ−２−プロピル）ベンゼン、１，４−ジ（２−メトキシ−２−プロピル）ベンゼン、または５−ｔｅｒｔ−ブチル−１，３−ジ（２−クロロ−２−プロピル）ベンゼンである請求項２２に記載の方法。
【請求項３６】
開始剤が５−ｔｅｒｔ−ブチル−１，３−ジ（２−クロロ−２−プロピル）ベンゼンである請求項２２に記載の方法。
【請求項３７】
開始剤が多官能性である請求項２２に記載の方法。
【請求項３８】
開始剤が、１，３，５−トリ（２−クロロ−２−プロピル）ベンゼン、または１，３，５−トリ（２−メトキシ−２−プロピル）ベンゼンである請求項２２に記載の方法。
【請求項３９】
単量体を一種類より多く使用する請求項２２に記載の方法。
【請求項４０】
単量体が、イソブチレン、２−メチル−１−ブテン、３−メチル−１−ブテン、または４−メチル−１−ペンテンである請求項２２に記載の方法。
【請求項４１】
単量体がイソブチレンである請求項２２に記載の方法。
【請求項４２】
電子供与体が下記式の化合物である請求項２２に記載の方法。
【化２】
2011515563.tif 000002
（式中、Ｒ1、Ｒ2、Ｒ3、Ｒ4およびＲ5は各々独立に、水素または炭化水素基であるか；
あるいはＲ1とＲ2、またはＲ2とＲ3、またはＲ3とＲ4、またはＲ4とＲ5は独立に、炭素原子数３乃至７の縮合脂肪族環または炭素原子数５乃至７の縮合芳香環を形成している）
【請求項４３】
共通イオン塩前駆体が、塩化テトラ−ｎ−ブチルアンモニウム、または沃化テトラ−ｎ−ブチルアンモニウムである請求項２２に記載の方法。
【請求項４４】
当該方法をピリジンまたはピリジン誘導体の存在下で実施する請求項１に記載の方法。
【請求項４５】
ピリジン誘導体が２，６−ルチジンである請求項４４に記載の方法。
【請求項４６】
当該方法をアミドの存在下で実施する請求項１に記載の方法。
【請求項４７】
アミドがジメチルホルムアミドである請求項４６に記載の方法。
【請求項４８】
当該方法を共通イオン塩または共通イオン塩前駆体の存在下で実施する請求項１に記載の方法。
【請求項４９】
共通イオン塩前駆体が、塩化テトラブチルアンモニウム、または沃化テトラブチルアンモニウムである請求項４８に記載の方法。
【請求項５０】
当該方法を−１２０℃乃至０℃の温度で実施する請求項１に記載の方法。
【請求項５１】
当該方法を−６０℃乃至−４０℃の温度で実施する請求項１に記載の方法。
【請求項５２】
一種以上の二炭化水素モノスルフィドが、鎖末端濃度の０．５乃至３倍の濃度で存在する請求項１に記載の方法。
【請求項５３】
一種以上の二炭化水素モノスルフィドが、鎖末端濃度の１乃至１．２倍の濃度で存在する請求項１に記載の方法。
【請求項５４】
希釈剤を使用する請求項１に記載の方法。
【請求項５５】
希釈剤がアルカンである請求項５４に記載の方法。
【請求項５６】
希釈剤がペンタンまたはヘキサンである請求項５４に記載の方法。
【請求項５７】
希釈剤がハロゲン化アルキルである請求項５４に記載の方法。
【請求項５８】
希釈剤が塩化メチルまたは塩化メチレンである請求項５４に記載の方法。
【請求項５９】
希釈剤がニトロアルカンである請求項５４に記載の方法。
【請求項６０】
希釈剤がベンゼンまたは置換ベンゼンである請求項５４に記載の方法。
【請求項６１】
希釈剤がトルエンである請求項５４に記載の方法。
【請求項６２】
希釈剤が二種以上の化合物の混合物である請求項５４に記載の方法。
【請求項６３】
希釈剤が塩化メチルとヘキサンの混合物である請求項５４に記載の方法。
【請求項６４】
混合物が、容量で１０／９０乃至９０／１０のヘキサン／塩化メチルである請求項６３に記載の方法。
【請求項６５】
イオン化ポリオレフィンをイニファから誘導する請求項１に記載の方法。
【請求項６６】
イニファがビイニファである請求項６５に記載の方法。
【請求項６７】
イニファがトリイニファである請求項６５に記載の方法。
【請求項６８】
生成したビニリデン末端ポリオレフィンが、全生成物のうちの少なくとも２０モルパー
セントである請求項１に記載の方法。
【請求項６９】
生成したビニリデン末端ポリオレフィンが、全生成物のうちの少なくとも４０モルパーセントである請求項１に記載の方法。
【請求項７０】
生成したビニリデン末端ポリオレフィンが、全生成物のうちの少なくとも６０モルパーセントである請求項１に記載の方法。
【請求項７１】
生成したビニリデン末端ポリオレフィンが、全生成物のうちの少なくとも７０モルパーセントである請求項１に記載の方法。
【請求項７２】
生成したビニリデン末端ポリオレフィンが、全生成物のうちの少なくとも８０モルパーセントである請求項１に記載の方法。
【請求項７３】
生成したビニリデン末端ポリオレフィンが、全生成物のうちの少なくとも８５モルパーセントである請求項１に記載の方法。
【請求項７４】
生成したビニリデン末端ポリオレフィンが、全生成物のうちの少なくとも９０モルパーセントである請求項１に記載の方法。
【請求項７５】
生成したビニリデン末端ポリオレフィンが、全生成物のうちの少なくとも９４モルパーセントである請求項１に記載の方法。